(57)【要約】【課題】前後方向に窪んだ凹部と、凹部の下方で凹部底面から前後方向に突出した凸部を靴底に形成し、凸部の下面を、靴底の中途部の下面と略面一状に形成し、凸部で、凹部の上下方向の潰れを規制することで、「使用手間の低減」と「安定感の向上」を両立し、「坂道と平坦な面での併用の補助」をする段差を形成する。【解決手段】靴底２に凹凸３を有する。凹凸３は、靴底２の前部２ａ及び／又は後部２ｂに、前後方向に沿って窪んだ凹部４と、凹部４の下方で凹部底４ｓから前後方向に沿って突出した凸部５が、一体的に形成され、凸部５は、下面が、靴底２の前後方向中途部２ｃの下面との間で略面一状に形成されると共に、凹部４の上下方向の潰れを規制している。【選択図】図１
2014117578.tif 000002
【特許請求の範囲】
【請求項１】
靴底（２）に凹凸（３）を有した靴であって、
前記凹凸（３）は、前記靴底（２）の前部（２ａ）及び／又は後部（２ｂ）に、前後方向に沿って窪んだ凹部（４）と、この凹部（４）の下方で凹部底（４ｓ）から前後方向に沿って突出した凸部（５）が、一体的に形成され、
この凸部（５）は、下面が、前記靴底（２）の前後方向中途部（２ｃ）の下面との間で略面一状に形成されると共に、前記凹部（４）の上下方向の潰れを規制していることを特徴とする靴。
【請求項２】
前記靴底（２）の前部（２ａ）に前凹凸（３ａ）に形成された場合には、この前凹凸（３ａ）の前凸部（５ａ）の突端（５ｔ）は、前記靴底（２）の前端より後方に位置していることを特徴とする請求項１に記載の靴。
【請求項３】
前記靴底（２）の後部（２ｂ）は、前部（２ａ）より厚肉状に形成されていることを特徴とする請求項１又は２に記載の靴。
【請求項４】
前記凹凸（３）は、前記凹部（４）の上下方向の潰れに抗う付勢手段（６）を別途備えていることを特徴とする請求項１〜３の何れか１項に記載の靴。
【請求項５】
前記靴底（２）の後部（２ｂ）に後凹凸（３ｂ）に形成された場合には、この後凹凸（３ｂ）は、後凹部（４ｂ）が密閉され、この後凹部（４ｂ）が上下方向に潰れた際に、前記後凹部（４ｂ）内の空気を後方へ噴出させる噴出口（７）を備えていることを特徴とする請求項１〜４の何れか１項に記載の靴。
【請求項６】
前記凹凸（３）は、上下方向に複数形成されていることを特徴とする請求項１〜５の何れか１項に記載の靴。
【発明の詳細な説明】
【技術分野】
【０００１】
本発明は、ウォーキング、ランニング、各種スポーツ等に用いる靴に関する。
【背景技術】
【０００２】
従来、靴底に取り付ける坂道歩行用の補助具が知られている（特許文献１参照）。
この補助具は、靴底に接する架台とその中央下部に凸部を取付け、凸部を交換することができる受け台と架台に靴の幅を調整する接続金具、及び靴に固定するバンドからなる構造を有した靴底に取付けることができるものである。
【先行技術文献】
【特許文献】
【０００３】
【特許文献１】特開２００２−５１８０７号公報
【発明の概要】
【発明が解決しようとする課題】
【０００４】
しかしながら、特許文献１に記載された補助具は、登山等、上下坂道等の傾斜した面の歩行に使用するもので、平坦な面で使用すれば、却って不安定となる。
更に、特許文献１の補助具は、上下坂道での歩行時に取り付け、平坦な道での歩行時に取り外す手間がかかる。
【０００５】
本発明は、このような点に鑑み、靴底の前部及び／又は後部に、前後方向に沿って窪んだ凹部と、凹部の下方で凹部底から前後方向に沿って突出した凸部を形成し、凸部の下面を靴底の中途部の下面と略面一状とし且つ凹部の上下方向の潰れを規制することで、「使用手間の低減」と「安定感の向上」を両立できると共に、「坂道と平坦な面での併用の補助」をできる靴を提供することを目的とする。
【課題を解決するための手段】
【０００６】
本発明に係る靴１は、靴底２に凹凸３を有した靴であって、前記凹凸３は、前記靴底２の前部２ａ及び／又は後部２ｂに、前後方向に沿って窪んだ凹部４と、この凹部４の下方で凹部底４ｓから前後方向に沿って突出した凸部５が、一体的に形成され、この凸部５は、下面が、前記靴底２の前後方向中途部２ｃの下面との間で略面一状に形成されると共に、前記凹部４の上下方向の潰れを規制していることを第１の特徴とする。
【０００７】
本発明に係る靴１の第２の特徴は、上記第１の特徴に加えて、前記靴底２の前部２ａに前凹凸３ａに形成された場合には、この前凹凸３ａの前凸部５ａの突端５ｔは、前記靴底２の前端より後方に位置している点にある。
【０００８】
本発明に係る靴１の第３の特徴は、上記第１又は２の特徴に加えて、前記靴底２の後部２ｂは、前部２ａより厚肉状に形成されている点にある。
【０００９】
本発明に係る靴１の第４の特徴は、上記第１〜３の何れかの特徴に加えて、前記凹凸３は、前記凹部４の上下方向の潰れに抗う付勢手段６を別途備えている点にある。
【００１０】
本発明に係る靴１の第５の特徴は、上記第１〜４の何れかの特徴に加えて、前記靴底２の後部２ｂに後凹凸３ｂに形成された場合には、この後凹凸３ｂは、後凹部４ｂが密閉され、この後凹部４ｂが上下方向に潰れた際に、前記後凹部４ｂ内の空気を後方へ噴出させる噴出口７を備えている点にある。
【００１１】
本発明に係る靴１の第６の特徴は、上記第１〜５の何れかの特徴に加えて、前記凹凸３は、上下方向に複数形成されている点にある。
【００１２】
これらの特徴により、靴底２の前部２ａ及び／又は後部２ｂに、前後方向に沿って窪んだ凹部４と、この凹部４の下方で凹部底４ｓから前後方向に沿って突出した凸部５を一体的に形成し、凸部５の下面を、靴底２の前後方向中途部２ｃの下面との間で略面一状に形成することで、特許文献１のように、上下坂道と平坦な道との間で、補助具を着脱する等の手間は一切かからないと同時に、平坦な面で使用する際にも、略面一状に形成された凸部５及び中途部２ｃの下面で接地することによって、使用者は、姿勢を安定させ易くなる。
つまり、「使用手間の低減」と「安定感の向上」の両立が実現できる。
尚、本出願において、「及び／又は」とは「少なくとも何れか一方」を意味し、例えば、「前部２ａ及び／又は後部２ｂ」であれば、「前部２ａと後部２ｂのうち、少なくとも何れか一方」を意味する。
これに加えて、凸部５で、凹部４の上下方向の潰れ（つまり、凹部４の上下長さの縮み）を規制することによって、凹部４の略上下長さ分の段差を、靴底２に形成することが出来る。
尚、本出願において、「規制する」とは、「凹部４の上下長さが、一切変わらない場合（凸部５が一切撓まない場合）」や、「凹部４の上下長さが、若干縮む場合（凸部５が若干撓む場合）」を含み、靴底２と一体的に形成される凸部５の突出長さ、厚み、幅、素材等によって、凸部５の撓みや、撓んだ凸部５が元に戻ろうとして生じる弾性力も規制（調節）できる。
この靴底２の段差があるため、坂道で使用すれば、段差の角（凸部５の突端５ｔ）で、傾斜した面に接地するため、靴１を略水平に保ち易くなると同時に、平坦な面で使用した場合にも、この平坦な面に接地した段差の角（凸部５の突端５ｔ）回りに、靴１全体が回転可能となって、ウォーキング、ランニング等を行い易くなる。
つまり、「坂道と平坦な面での併用の補助」が図れる。
【００１３】
又、前凸部５ａの突端を、前記靴底２の前端より後方に位置させることで、坂道に前凸部５ａの突端で接地した際には、靴１全体として略水平に保たれて登り易くなると共に、坂道であっても、接地した前凸部５ａの突端を支点として、この突端回りに靴１全体が回転できる。
従って、靴底２の前下端が坂道に接地するまでは、梃子のように容易に、靴１全体及び使用者が前方向に回転でき、登り坂においても、ウォーキング、ランニング等が行い易くなる。
【００１４】
更に、靴底２の後部２ｂを、前部２ａより厚肉状に形成することで、靴底２の後部２ｂにおける後凹部４ｂの上下長さ（後凸部５ｂの撓み代）をより十分に確保でき、靴１が踵（靴底２の後部２ｂにおける後端）から接地した際に、後凸部５ｂが撓むことで得られる弾性力（反発力）も大きくなる。
【００１５】
そして、凹凸３に、凹部４の上下方向の潰れに抗う付勢手段６（ゴム等の弾性素材や、バネ等）を別途設けることで、撓む凸部５から得られる弾性力（反発力）が、より大きくなる。
密閉した後凹部４ｂが上下方向に潰れた際に、後凹部４ｂ内の空気を後方へ噴出させる噴出口７を備えることで、使用者が、靴底２の後部２ｂを踏み抜いた際に、噴出口７から後方に噴出される空気によって、靴１を前方に進める力を得られる。
又、凹凸３を、上下方向に複数形成しても良い。
【発明の効果】
【００１６】
本発明に係る靴によると、靴底の少なくとも前部に、前後方向に沿って窪んだ凹部と、凹部の下方で凹部底面から前後方向に沿って突出した凸部を形成し、凸部の下面を靴底の中途部の下面と略面一状にすると共に、凹部の上下方向の潰れを規制することによって、「使用手間の低減」と「安定感の向上」と「坂道と平坦な面での併用を補助」が同時に実現できる。
【図面の簡単な説明】
【００１７】
【図１】（ａ）は、本発明の第１実施形態に係る靴を示す側面図であり、（ｂ）は、凸部の傾斜角度が異なる変形例に係る靴を示す側面図である。
【図２】第１実施形態に係る靴を示す底面図である。
【図３】（ａ）は、本発明の第２実施形態に係る靴を示す側面図であり、（ｂ）は、後凹凸が異なる変形例に係る靴の一部を拡大した側面図である。
【図４】（ａ）は、本発明の第３実施形態に係る靴の一部を拡大した側面図であり、（ｂ）は、第３実施形態に係る靴の使用状態を示す側面図である。
【発明を実施するための形態】
【００１８】
以下、本発明の実施形態を、図面を参照して説明する。
＜第１実施形態＞
図１、２には、本発明の第１実施形態に係る靴１が示されている。
この靴１は、靴底２の前部２ａ及び後部２ｂに、凹凸３（前凹凸３ａ、後凹凸３ｂ）が形成されており、各凹凸３は、凹部４と、この凹部４の凹部底４ｓから突出した凸部５が、靴底２と一体的に形成されている。
図１に示されたように、前凹凸３ａは、靴底２の前部２ａ（側面視で、使用者の足の母趾球下方）に設けられ、後凹凸３ｂは、靴底２の後部２ｂ（側面視で、使用者の足の踵下方）に設けられている。
【００１９】
＜前凹凸３ａ＞
前凹凸３ａにおける前凹部４ａは、前後方向に沿って、より詳しくは、前から後（凹部底４ｓ）に向かって窪んだ凹部４であって、側面視で鋭角状に、靴底２に一体的に形成されている（図１参照）。
一方、前凹凸３ａにおける前凸部５ａは、前凹部４ａの下方に位置し、前後方向に沿って、より詳しくは、後（凹部底４ｓ）から前に向かって突出した凸部５であって、前凹部４ａと同様に、側面視で鋭角状に、靴底２に一体的に形成されている（図１参照）。
【００２０】
前凸部５ａの突端は、靴底２の前端より後方に位置しており、登り坂道に前凸部５ａの突端で接地した際には、靴１全体として略水平に保たれて、登り易くなる。
このような前凹部４ａ、前凸部５ａを有するため、前凹凸３ａは、側面視で略Ｚ字状に形成されている。
この略Ｚ字状を維持、つまり、前凹部４ａの上下長さの潰れを規制することで、靴底２の前部２ａに段差を有することが可能となる。
【００２１】
前凹凸３ａが一体形成される靴底２の素材は、前凹部４ａの上下長さの潰れを規制し得るように、可撓性が低い（撓み難い）且つ曲げ強度が高いエポキシ樹脂、エステル樹脂、ポリイミド樹脂、エンジニアプラスチック等の合成樹脂で構成されていても良く、更に、これらの合成樹脂と接地の衝撃を吸収するゴム等の弾性素材やナイロン樹脂などの素材を張り合わせたり、可撓性が低い且つ曲げ強度が高いエポキシ樹脂、エステル樹脂、ポリイミド樹脂、エンジニアプラスチック等の合成樹脂で構成されていても良い。
更に、可撓性が低く曲げ強度が高い等のプラスチックとしての特性を有しながら、急激に衝撃を加えたときにゴムのように変形して衝撃を吸収するナイロン樹脂等を用いても良い。
【００２２】
尚、上述したように、「凹部４の上下長さが、一切変わらない場合（凸部５が一切撓まない場合）」や、「凹部４の上下長さが、若干縮む場合（凸部５が若干撓む場合）」を含み、靴底２と一体的に形成される凸部５の素材だけでなく、凸部５の突出長さ、厚み、幅等によっても規制（調節）できる。
尚、凸部５が撓んだ際には、撓んだ凸部５が元に戻る弾性力が働き、使用者が接地面から受ける反力が増す。
図１では、前凹部４ａの上面・下面や、前凸部５ａの上面・下面は、平坦な面であるが、曲面や、更に小さな凹凸があっても構わない。
【００２３】
又、に示した如く、第１実施形態における前凹凸３ａは、平面視において、前凸部５ａの突端が、使用者の足における親指の付け根（母趾球）から小指の付け根（小趾球）にかけて、各指の付け根に沿って湾曲させても良い。
前凸部５ａの突端が、平面視で、各指の付け根に沿った位置の下方にあることで、使用者が踏みしめる力が最も伝わると同時に、前凸部５ａの突端回りに靴１が回転し易くなる。
【００２４】
＜後凹凸３ｂ＞
後凹凸３ｂにおいて、後凹部４ｂは、前後方向に沿って、より詳しくは、後から前（凹部底４ｓ）に向かって窪んだ凹部４であり、後凹部４ｂの下方に位置し、前後方向に沿って、より詳しくは、前（凹部底４ｓ）から後に向かって突出した凸部５であって、前凹凸３ａと同様に、後凹部４ｂ・後凸部５ｂは、共に、側面視で鋭角状に、靴底２に一体的に形成されている（図１参照）。
従って、後凹凸３ｂも、側面視で略Ｚ字状に形成されている。
【００２５】
このような後凹凸３ｂによって、使用者の足が踵から着地した場合に、クッションとなると同時に、後凸部５ｂが撓んだ際には、撓んだ前凸部５が元に戻る弾性力によっても、使用者は、接地面から反力を受けることが出来る。
尚、後凸部５ｂの突端は、靴底２の後端より前方に位置した場合には、下り坂道に後凸部５ｂの突端で接地した際には、靴１全体として略水平に保たれて、下り易くなる。
【００２６】
図１（ｂ）の変形例で示したように、前後凹凸３ａ、３ｂが、側面視でなす角度（凹部４の凹部底４ｓ（近傍）が側面視でなす角度や、凸部５の突端５ｔ（近傍）が側面視でなす角度）は、図１（ａ）のような角度より小さくても良く、例えば、５度以上６０度以下など、凸部５に対して窪んだ凹部４が形成されるのであれば、何れの角度でも構わない。
又、図１（ｂ）における後凹凸３ｂのように、後凹部４ｂの凹部底４ｓが側面視でなす角度と、後凸部５ｂの突端５ｔが側面視でなす角度が異なっていても良い。
【００２７】
＜靴底２の中途部２ｃ＞
上述した前後凹凸３ａ、３ｂは、前凸部５ａの下面が、靴底２の前後方向中途部２ｃの下面との間で略面一状に形成され、後凸部５ｂの下面が、靴底２の前後方向中途部２ｃの下面との間で略面一状に形成されている。
尚、本出願において、「前凸部５ａの下面が、靴底２の前後方向中途部２ｃの下面との間で略面一状に形成」とは、前凸部５ａの下面と、靴底２の前後方向中途部２ｃの下面との間が、少なくとも略面一状に形成されていることを意味する。
従って、図１（ａ）のように、前凸部５ａ、中途部２ｃ、後凸部５ｂのそれぞれの下面が一様に略面一状となっている場合だけでなく、図１（ｂ）で示したように、靴底２の中途部２ｃに（より詳しくは、使用者の足の土踏まず下方に）、左右方向に延びる溝２ｄが形成されている場合も含む。
又、「後凸部５ｂの下面が、靴底２の前後方向中途部２ｃの下面との間で略面一状に形成」との意味も、同様である。
又、後凹凸３ｂで生じた撓みが、中途部２ｃを介して、前凹凸３ａに伝わる。
【００２８】
このような前後凹凸３ａ、３ｂと、靴底２の中途部２ｃを形成することによって、上下坂道と平坦な道との間で、補助具を着脱する等の手間は一切かからないと同時に、平坦な面で使用する際にも、略面一状に形成された凸部５及び中途部２ｃの下面で接地することが可能となり、使用者は、姿勢を安定させ易くなる。
つまり、「使用手間の低減」と「安定感の向上」の両立が実現できる。
更に、靴底２の前後凹凸３ａ、３ｂによって、段差を設けることで、登り下りの坂道で使用すれば、前後の段差の角（凸部５の突端５ｔ）で、傾斜した面に接地し、靴１を略水平に保ち易くなる。
又、本発明の靴１を、平坦な面で使用した場合にも、この平坦な面に接地した段差の角（凸部５の突端５ｔ）回りに、靴１全体が回転可能となって、ウォーキング、ランニング等を行い易くなる。
つまり、「坂道と平坦な面での併用の補助」が図れる。
【００２９】
＜第２実施形態＞
図３には、本発明の第２実施形態に係る靴１が示されている。
この第２実施形態において第１実施形態と最も異なるのは、靴底２の後部２ｂは、前部２ａより厚肉状に形成されている点である。
尚、「靴底２の後部２ｂは、前部２ａより厚肉状に形成されている」とは、靴底２が、前端から後端に近づくにつれて、徐々により厚肉状に形成されることや、前端から後端に近づくにつれて、段階的により厚肉状に形成されることを含む。
このように、後部２ｂが前部２ａより厚い靴底２とすることで、靴底２の後部２ｂにおける後凹部４ｂの上下長さ（後凸部５ｂの撓み代）をより十分に確保でき、靴１が踵から接地した際に、後凸部５ｂが撓むことで得られる反発力も大きくなる。
又、使用者にとっては、踵が高くなり、前傾姿勢を取り易くなる。
【００３０】
更に、第２実施形態には、後凹凸３ｂの後凹部４ｂに、この後凹部４ｂの上下方向の潰れに抗う付勢手段６が、別途備えられている点も、第１実施形態と異なる。
この付勢手段６は、ゴム等の弾性素材で構成され、後凹凸３ｂにおける凹部４ｂに充填され、後凸部５ｂの撓みで生じる弾性力（反発力）よりも、大きな反発を、接地面から受けることが出来る。
尚、付勢手段６は、弾性素材に限らず、後凹部４ｂの上下方向の潰れに抗うことが出来るのであれば、バネや、エアダンパ、オイルダンパ等で構成されていても良い。
【００３１】
又、図３（ｂ）で示す如く、後凹凸３ｂが上下方向に複数形成され、この複数の後凹凸３ｂにあわせてゴム等の付勢手段６が充填されていても良い。
このように、凹凸３を、上下複数段に形成することは、靴底２の後部２ｂだけでなく、前部２ａに、上下複数の前凹凸３ａを形成しても良い。
その他の靴１の構成、作用効果及び使用態様は、第１実施形態と同様である。
【００３２】
＜第３実施形態＞
図４には、本発明の第３実施形態に係る靴１が示されている。
この第３実施形態において第１、２実施形態と最も異なる点は、後凹凸３ｂが、密閉された後凹部４ｂ内の空気を後方へ噴出させる噴出口７を備えていることである。
詳解すれば、第３実施形態の靴１は、後凹部４ｂを密閉するシート体１１と、このシート体１１の後部に設けられた噴出口７を備えている。
【００３３】
シート体１１は、側面視においては、後凹部４ｂの上面と下面の間に亘って張設され、且つ、平面視においては、靴底２の後部２ｂの外縁に沿うように張設されたシート状のものである。
又、シート体１１は、ポリエチレンテレフタレート（ＰＥＴ）や、ポリプロピレン（ＰＰ）、ポリエチレン（ＰＥ）、ポリスチレン（ＰＳ）、エチレン・酢酸ビニルコポリマー（ＥＶＡ）などの合成樹脂を膜状（フィルム状）にしたものや、前記の合成樹脂からなる繊維・糸条を編成・織成してシート状としてものなど、折り畳み可能な素材であれば良い。
これによって、使用者が靴底２の後部２ｂ（踵）を踏み込んだ際には、後凹部４ｂの上下長さが潰れるのに従って、シート体１１の上下長さが縮む。
尚、シート体１１の表面は、蛇腹状に形成されても良い。
【００３４】
噴射口７は、シート体１１後部において、上下方向中途部で且つ左右中央部を穿孔させて設けられており、後凹部４ｂの上面・下面と、シート体１１の内面で囲まれる空間内と、後凹部４ｂとシート体１１の囲みの外側とを連通している。
したがって、後凹部４ｂが上下方向に潰れた際に、後凹部４ｂ内の空気を後方へ噴出させることとなる。
図４（ｂ）で示したように、これにより、使用者が、靴底２の後部２ｂを踏み抜いた際に、噴出口７から後方に噴出される空気によって、靴１を前方に進める力を得られる。
その他の靴１の構成、作用効果及び使用態様は、第１、２実施形態と同様である。
【００３５】
＜その他＞
本発明は、上述した実施形態に限定されるものではない。靴１等の各構成又は全体の構造、形状、寸法などは、本発明の趣旨に沿って適宜変更することが出来る。
凹凸３は、上述のように、靴底２の前部２ａと後部２ｂの両方に形成されていたが、前部２ａのみ、又は、後部２ｂのみに形成されていても良い。
各凹凸３は、凸部５の突端５ｔが、靴底２の端（前端又は後端）より靴底２の中途部２ｃ側（中途部２ｃに近い側）に位置していたが、図３、４のように、靴底２の端（前端又は後端）より外方側（中途部２ｃに遠い側）に位置していても良い。
【産業上の利用可能性】
【００３６】
本発明に係る靴は、走種目を主体にするトラック競技と、跳躍（走幅跳、三段跳など）や投擲（ハンマー投など）を主体にするフィールド競技等の陸上競技、ゴルフ、バスケットボール、バレーボール、登山など各種スポーツ等に用いるだけでなく、通勤・通学等の日常生活でも利用可能である。
更に、使用者の性別・年齢・体型にも拠らず、老若男女、体重の重い人も軽い人も、坂道や平地を問わず、ウォーキングやランニングに使用でき、更には、階段の登り下りの際にも利用できる。
【符号の説明】
【００３７】
１      靴
２      靴底
２ａ    靴底の前部
２ｂ    靴底の後部
３      凹凸
３ａ    前凹凸
３ｂ    後凹凸
４      凹部
４ａ    前凹部
４ｂ    後凹部
４ｓ    凹部の凹部底
５      凸部
５ａ    前凸部
５ｂ    後凸部
５ｔ    凸部の突端
６      付勢手段
７      噴出口
【図１】
2014117578.tif 000003
【図２】
2014117578.tif 000004
【図３】
2014117578.tif 000005
【図４】
2014117578.tif 000006